(57)【要約】【課題】始動入賞口と大入賞口とが一個の部品に形成されているうえに変化に富んだ形状のパチンコ機の入賞装置を提供する。【解決手段】特定入賞口３に玉が入賞すると大当たりの権利が発生する始動入賞口４と、この始動入賞口４に玉が入賞すると可動翼片５１が開放されて大当たりが確定される大入賞口７０とからなるパチンコ機の入賞装置において、上方端部に始動入賞口４を設け側面の一方には大入賞口７０を設けた角型筒状部７１を有するカバー枠体７を取付基板６に固定した。また、カバー枠体７は角型筒状部７１から横に延設された張出部７２を有し、この張出部７２に同一方向に回動可能な２枚の可動翼片５１を配設して、可動翼片５１が横に回動された時に２枚の可動翼片５１により大入賞口７０への玉の流路を形成する。【選択図】    図１
2004236754.tif 000002
【特許請求の範囲】
【請求項１】
特定入賞口に玉が入賞すると大当たりの権利が発生する始動入賞口と、この始動入賞口に玉が入賞すると可動翼片が開放されて大当たりが確定される大入賞口とからなるパチンコ機の入賞装置において、上方端部に始動入賞口を設け側面の一方には大入賞口を設けた角型筒状部を有するカバー枠体が取付基板に固定されていることを特徴とするパチンコ機の入賞装置。
【請求項２】
カバー枠体は大入賞口を設けた角型筒状部の一側から横方向に延設された張出部を有し、この張出部に同一方向に回動可能な２枚の可動翼片を配設して、可動翼片が横に回動されたときには２枚の可動翼片により大入賞口への玉の流路が形成されるようにしたことを特徴とする請求項１に記載のパチンコ機の入賞装置。
【請求項３】
２枚の可動翼片は作動用基板に軸着されており、該作動用基板がソレノイドにより摺動されることにより同一方向に回動するようにしたことを特徴とする請求項２に記載のパチンコ機の入賞装置。
【請求項４】
始動入賞口には、モーターによって前後に摺動可能な開閉用部材が設けられていることを特徴とする請求項１又は２又は３に記載のパチンコ機の入賞装置。
【発明の詳細な説明】
【０００１】
【発明の属する技術分野】
本発明は、パチンコ機の入賞装置に関し、特に権利発生に伴い遊技者に多大な利益をもたらすことのできる権利物タイプのパチンコ機の入賞装置に関するものである。
【０００２】
【従来の技術】
権利物タイプのパチンコ機として、例えば特開２００２−２１９２２５号公報には図６に示すような、遊技盤のほぼ中央の可変表示装置１の下方には図柄始動入賞口２を設け、この図柄始動入賞口２の下方には特定入賞口３を設け、さらに、可変表示装置１の隣には始動入賞口（第３種始動入賞口と記す）４を設け、始動入賞口４の下方には可動翼片５１を備えた大入賞口７０を設けたものが知られている。このような権利物タイプのパチンコ機においては、図柄始動入賞口２に玉が入賞すると可変表示装置１の表示状態が変動開始されるとともに、一定時間後に停止され、停止した可変表示装置１の表示結果が予め設定された表示に揃うと特定入賞口３が開放される。そして、特定入賞口３に玉が入賞することにより大当たりの権利が発生する。この権利発生時において始動入賞口４に玉が入賞すると大当たりが確定して可動翼片５１が回動し大入賞口７０は開放されて所定時間又は所定の個数の玉を受入れることができる。そして、始動入賞口４への入賞によって大入賞口７０が開放されることを一回として、最大で１６回までの繰り返しが可能である。
【０００３】
【特許文献１】特開２００２−２１９２２５号公報（図４）
【０００４】
しかしながら、上記したように従来は始動入賞口４と大入賞口７０とは別個の装置に設けられて遊技盤面に離間して配置されていたので、遊技領域を狭くしていた。また、部品点数が多くなって組み立ての作業性の低下、製造コストの高騰を招くという問題があった。また、従来の入賞装置は左右対称であって、大入賞口７０には相互に逆方向に回動する二枚の可動翼片５１が左右対称に設けられていたので、変化に乏しく遊技の興趣において必ずしも十分満足できるものではなかった。
【０００５】
【発明が解決しようとする課題】
本発明は上記した従来の問題点を解決し、始動入賞口と大入賞口とが一個の部品に形成されているうえに変化に富んだ形状で遊技の興趣を盛り上げることのできるパチンコ機の入賞装置を提供するためになされたものである。
【０００６】
【課題を解決するための手段】
上記の課題を解決するためになされた本発明のパチンコ機の入賞装置は、特定入賞口に玉が入賞すると大当たりの権利が発生する始動入賞口と、この始動入賞口に玉が入賞すると可動翼片が開放されて大当たりが確定される大入賞口とからなるパチンコ機の入賞装置において、上方端部に始動入賞口を設け側面の一方には大入賞口を設けた角型筒状部を有するカバー枠体が取付基板に固定されていることを特徴とするものである。なお、カバー枠体は大入賞口を設けた角型筒状部の一側から横方向に延設された張出部を有し、この張出部に同一方向に回動可能な２枚の可動翼片を配設して、可動翼片が横に回動されたときには２枚の可動翼片により大入賞口への玉の流路が形成されるようにすることができる。また、２枚の可動翼片は作動用基板に軸着されており、該作動用基板がソレノイドにより摺動されることにより同一方向に回動するようにできるし、さらに、始動入賞口には、モーターによって前後に摺動可能な開閉用部材を設けることができる。
【０００７】
【発明の実施の形態】
以下に図面を参照しつつ本発明の好ましい実施形態を説明する。図１は通常の遊技状態における本発明の入賞装置を、図２は大当たり確定状態における本発明の入賞装置を示す図であって、６は取付基板、７は取付基板６に螺着されたカバー枠体である。カバー枠体７は角型筒状部７１と斜め上向きで横方向に延設された張出部７２とからなり、角型筒状部７１の上方端部には開閉用部材６１により開閉される始動入賞口４が設けられ、角型筒状部７１の一方の側面で張出部７２の基部には大入賞口７０が設けられている。そして、張出部７２の基部とその反対側の先端部には可動翼片５１が一対軸着されている。可動翼片５１の間には、張出部７２の底部に底板を設けていない玉抜き路５が形成されていて、可動翼片５１が立っている状態においては大入賞口７０は閉鎖され、一方の玉抜き路５入り口が開放されているので、玉は入賞することなく玉抜き路５を上方から下方に通過してしまう。
【０００８】
図３〜５に示すように、取付基板６の裏側には始動入賞口４に対応して開閉用部材６１挿し込み用の挿着枠６２が突設されている。開閉用部材６１は角型であってその前部に四角形の玉通過孔６３を有し、玉通過孔６３の前部には前側壁面６３ａ、後部には中央壁面６３ｂが形成され、さらに開閉用部材６１の後端には後部壁面６５が形成されている。開閉用部材６１の中央壁面６３ｂと後部壁面６５との間には小型モーター８が装入されて、取付用部材６６、６７により開閉用部材６１と小型モーター８とが組み合わされて挿着枠６２に取り付けられる。小型モーター８はねじ山が形成されて前後に移動する回転軸８１を有し、この回転軸８１の長さは前記中央壁面６３ｂと後部壁面と６５の間隔とほぼ同じ長さとしてその間に装入してあるので、回転軸８１の前後動とともに開閉用部材６１も前後に移動することができる。挿着枠６２の下部には玉計数装置９の挿し込み部６８と玉通路６９が設けられている。
【０００９】
一方、前記した可動翼片５１は横向きに回動された時に上側となる側面が平坦面５２に形成されていて、張出部７２に設けた支軸７３に軸着されているとともに、可動翼片５１の裏側側面に設けた突起５３が１枚の作動用基板７４の孔部７５に挿し込まれているので、一対の可動翼片５１は同一方向に回動することができる（図３参照）。この作動用基板７４は張出部７２とほぼ同等の傾きで傾斜しており、取付基板６の裏側に固定されたソレノイド８５のプランジャ８６の頭部が挟持片７７に挿し込まれているので、作動用基板７４はプランジャ８６の出入りによりやや傾斜した状態で左右に摺動することができる。したがって、ソレノイド８５により作動用基板７４を介して、可動翼片５１を立てた大入賞口７０の閉鎖状態と、可動翼片５１を横に倒した大入賞口７０の開放状態とに切り替えることができる。大入賞口７０の開放状態にあっては、図２に示したように回動された２枚の可動翼片５１により大入賞口７０への玉の流路が形成され、玉抜き路５は閉鎖されているので、可動翼片５１に落下した玉は大入賞口７０に流れ込む。なお、取付基板６の裏側で大入賞口７０の下方には挿着部９２と玉通路９３とが形成されており、挿着部９２には大入賞口７０に入賞した玉用の計数装置９１が挿し込まれている。
【００１０】
遊技の流れを以下に説明する。
通常の遊技状態においては、図１に示すように始動入賞口４の中程まで開閉用部材６１の前側壁面６３ａが押し出されており、玉は始動入賞口４に入ることはできない。可動翼片５１は立ったままであるので大入賞口玉７０が閉鎖され、玉抜き路５が開放されているので玉は入賞することなく可動翼片５１の間を通過してしまう。
【００１１】
図柄始動入賞口２に玉が入賞したときには可変表示装置１の表示状態が変動開始されるとともに、一定時間後に停止される。停止した可変表示装置１の表示結果が予め設定された同一図柄などに揃うと特定入賞口３が開放される。そして、この特定入賞口３に玉が入賞することにより大当たりの権利が発生する。この権利発生時になると、モーター８は回転軸８１を介して開閉用部材６１を前方に押し出し、玉通過孔６３が始動入賞口４にきちんとセットされるので玉は入賞可能となる。開放された始動入賞口４に玉が入賞するとソレノイド８５が通電されプランジャ８６が吸引されて作動用基板７４を斜め下方に引き下げるので、図２に示したように可動翼片５１は横方向に回動されて大入賞口７０は開放され大当たりの確定状態となる。大入賞口７０の開放状態においては、玉は可動翼片５１の平坦面５２上を張出部７１の基部側に流下して所定時間又は所定の個数の玉を入賞玉として受入れる。そして、始動入賞口４への入賞によって大入賞口７０が開放されることを一回として、最大で１６回までの繰り返しが行われるので、遊技者は短時間に玉を獲得することができる。
【００１２】
【発明の効果】
以上に説明したように、本発明のパチンコ機の入層装置は、特定入賞口に玉が入賞すると大当たりの権利が発生する始動入賞口と、この始動入賞口に玉が入賞すると可動翼片が開放されて大当たりが確定される大入賞口とからなるパチンコ機の入賞装置において、上方端部に始動入賞口を設け側面の一方には大入賞口を設けた角型筒状部を有するカバー枠体を取付基板に固定したので、始動入賞口と大入賞口とを一体の部品に設けることができ、且つ入賞装置を左右非対称のものとすることができる。また、カバー枠体を、大入賞口を設けた角型筒状部の一側から横方向に延設された張出部を有するものとし、この張出部に同一方向に回動可能な２枚の可動翼片を配設して、可動翼片が横に回動されたときには２枚の可動翼片により大入賞口への玉の流路が形成されるようにしたので、玉の流れに従来と異なる変化を付けることができる。
したがって、本発明のパチンコ機の入賞装置は、装置を簡素にして且つ遊技の興趣を盛り上げることができるという大きな利点を有するものである。
【図面の簡単な説明】
【図１】閉鎖状態にある本発明の入賞装置の前面側斜視図である。
【図２】開放状態にある本発明の入賞装置の前面側斜視図である。
【図３】本発明の入賞装置の裏面側斜視図である。
【図４】本発明の入賞装置の前面側の分解斜視図である。
【図５】本発明の入賞装置の裏面側の分解斜視図である。
【図６】従来の入賞装置を備えたパチンコ機の正面図である。
【符号の説明】３  特定入賞口
４  始動入賞口
６  取付基板
７  カバー枠体
５１  可動翼片
７０  大入賞口
７１  角型筒状部
７２  張出部
【図１】
2004236754.tif 000003
【図２】
2004236754.tif 000004
【図３】
2004236754.tif 000005
【図４】
2004236754.tif 000006
【図５】
2004236754.tif 000007
【図６】
2004236754.tif 000008